(57)【特許請求の範囲】
【請求項１】
振動ユニットと、
基体に固定手段を介して固定され前記振動ユニットの一面を保持する第１の保持部材と、
揮散性薬剤を内部に収容する容器体を前記固定手段を介して支持し前記振動ユニットの他面を保持する第２の保持部材と、を備え、
前記振動ユニットが、一端に開口部を有して形成され容器体に基体の振動を伝達するための球体を保持する第１保持部と、前記第１保持部に相対して一端に開口部を有して形成され前記球体を保持する第２保持部を有し、前記第１保持部と前記第２保持部の間に前記球体が移動可能に載置されている、
ことを特徴とする振動伝達装置。
【請求項２】
前記固定手段は、接着剤、両面テープ、面ファスナー、吸盤及びねじから選択される、
ことを特徴とする請求項１に記載の振動伝達装置。
【請求項３】
水平方向に伸びる円筒状のシャフトと、前記シャフトの外径よりも大径で前記シャフトが挿通される貫通孔を有する第１保持部と、前記貫通孔に挿通された前記シャフトを保持する第２保持部と、からなり、揮散性薬剤を内部に収容する容器体に基体の振動を伝達する振動ユニットと、  
前記基体に固定され前記振動ユニットの一面を保持する第１の保持部材と、
前記容器体を支持し前記振動ユニットの他面を保持する第２の保持部材と、を備えた、
ことを特徴とする振動伝達装置。
【請求項４】
前記揮散性薬剤が、揮散性物質を保持するゲル成形体である、
ことを特徴とする請求項１ないし３のいずれか１項に記載の香り発生装置。
【請求項５】
前記装置本体が、機内で発生する熱を前記装置本体に設けた排気手段で機外へ排出する画像形成装置である、
ことを特徴とする請求項１ないし４のいずれか１項に記載の香り発生装置。
【発明の詳細な説明】
【技術分野】
【０００１】
本発明は、振動伝達装置に関する。
【背景技術】
【０００２】
芳香発生器本体に設けた超音波振動子と、芳香発生器本体の内部に設けられる超音波振動子を励振させる発信周波数および電力を与える発信器と、超音波振動子への通電を制御する制御回路と、香料が入った香料ケースと、この香料ケースに設けられ香料を保持する保持材と、超音波振動子と保持材とを接触または離脱させる可動部とからなる芳香発生器が知られている（特許文献１）。  
【先行技術文献】
【特許文献】
【０００３】
【特許文献１】特開平４−１５６８５５号公報
【発明の概要】
【発明が解決しようとする課題】
【０００４】
香料成分を含むゲル体は、自然揮発のみで香りを発生させる場合には、十分な強度の香りを提供することができない虞があった。
本発明は、ゲル体の香料成分の揮発を促進させることができる振動伝達装置を提供することを目的とする。
【課題を解決するための手段】
【０００５】
前記課題を解決するために、請求項１に記載の振動伝達装置は、
振動ユニットと、
基体に固定手段を介して固定され前記振動ユニットの一面を保持する第１の保持部材と、
揮散性薬剤を内部に収容する容器体を前記固定手段を介して支持し前記振動ユニットの他面を保持する第２の保持部材と、を備え、
前記振動ユニットが、一端に開口部を有して形成され容器体に前記基体の振動を伝達するための球体を保持する第１保持部と、前記第１保持部に相対して一端に開口部を有して形成され前記球体を保持する第２保持部を有し、前記第１保持部と前記第２保持部の間に前記球体が移動可能に載置されている、
ことを特徴とする。
【０００６】
請求項２に記載の発明は、請求項１に記載の振動伝達装置において、
前記固定手段は、接着剤、両面テープ、面ファスナー、吸盤及びねじから選択される、
ことを特徴とする。
【００１１】
前記課題を解決するために、請求項３に記載の振動伝達装置は、
水平方向に伸びる円筒状のシャフトと、前記シャフトの外径よりも大径で前記シャフトが挿通される貫通孔を有する第１保持部と、前記貫通孔に挿通された前記シャフトを保持する第２保持部と、からなり、揮散性薬剤を内部に収容する容器体に基体の振動を伝達する振動ユニットと、  
前記基体に固定され前記振動ユニットの一面を保持する第１の保持部材と、
前記容器体を支持し前記振動ユニットの他面を保持する第２の保持部材と、を備えた、
ことを特徴とする。
【００１３】
請求項４記載の発明は、請求項１ないし３のいずれか１項に記載の振動伝達装置において、
前記揮散性薬剤が、芳香成分を含む揮散性物質を保持するゲル成形体である、
ことを特徴とする。
【００１４】
請求項５記載の発明は、請求項１ないし４のいずれか１項に記載の振動伝達装置において、
前記基体が、機内で発生する熱を前記装置本体に設けた排気手段で機外へ排出する画像形成装置である、
ことを特徴とする。
【発明の効果】
【００１５】
請求項１に記載の発明によれば、基体の振動を効率よく容器体に伝達し、ゲル体の芳香成分の揮発を促進させることができる。
請求項２に記載の発明によれば、基体及び容器体に大きな変更を施すことなく振動伝達装置を設置することができる。
請求項３に記載の発明によれば、基体の振動を効率よく容器体に伝達することができる。
請求項４に記載の発明によれば、揮散性物質がゲル成形体でない場合に比して、運搬、保存、取り扱いを容易に行うことができる。
請求項５に記載の発明によれば、画像形成装置の利用者を含む周辺環境へ安定した濃度で香りを提供することができる。
【図面の簡単な説明】
【００１６】
【図１】基体１０１に振動伝達装置１０を介して香り発生装置２０が設置された縦断面図である。
【図２】（ａ）は振動伝達装置１０の１つの構成を示す縦断面図、（ｂ）は分解縦断面図、（ｃ）は係合部の一例を示す斜視図である。
【図３】振動伝達装置１０の振動伝達を説明する断面模式図である。
【図４】（ａ）は画像形成装置１００の凹部１２２に振動伝達装置１０と香り発生装置２０が設置された状態の平面模式図、（ｂ）は縦断面模式図である。
【図５】振動伝達装置１０Ａの構成を示す縦断面図である。
【図６】振動伝達装置１０Ｂの構成を示す縦断面図である。
【図７】（ａ）は香り発生装置２０の１つの構成を示す斜視図、（ｂ）は縦断面図、（ｃ）は香り発生装置２０の開閉機構の構成を示す断面模式図である。
【図８】（ａ）は振動伝達装置１０と香り発生装置２０が設置された画像形成装置１００の斜視図、（ｂ）は画像形成装置１００の排気を説明する平面視した部分断面図、（ｃ）は排気側の部分断面図である。
【発明を実施するための形態】
【００１７】
次に図面を参照しながら、以下に実施形態及び具体例を挙げ、本発明を更に詳細に説明するが、本発明はこれらの実施形態及び具体例に限定されるものではない。
また、以下の図面を使用した説明において、図面は模式的なものであり、各寸法の比率等は現実のものとは異なることに留意すべきであり、理解の容易のために説明に必要な部材以外の図示は適宜省略されている。
【００１８】
（１）画像形成装置の構成
図７（ａ）は香り発生装置２０の１つの構成を示す斜視図、（ｂ）は縦断面図、（ｃ）は香り発生装置２０の開閉機構の構成を示す断面模式図、図８（ａ）は振動伝達装置１０と香り発生装置２０が設置された画像形成装置１００の斜視図、（ｂ）は画像形成装置１００の排気を説明する平面視した部分断面図、（ｃ）は排気側の部分断面図である。
以下、図面を参照しながら振動伝達装置１０及び香り発生装置２０が設置された基体１０１の一例として画像形成装置１００の全体構成と動作について説明する。
【００１９】
（１．１）香り発生装置
容器体の一例としての香り発生装置２０は、一端側が開口した有底の容器本体２１に、揮散性薬剤Ｓを収容する。開口部２１ａは、蓋体２２と接合され、揮散性薬剤Ｓが収容された容器体として密閉されている。
【００２０】
蓋体２２の上面２２ａには、開閉機構２５が設けられている。開閉機構２５は、図６に示すように、開口部２１ａを塞ぐ閉鎖位置（図７（ｂ）参照）と互いに離間して開口部２１ａを開放する開放位置（図７（ｃ）参照）とを切り替えるようになっている。
【００２１】
開閉機構２５は、開放位置では、図７（ｃ）に示すようにそれぞれのフラップ２６が形成する通気路２７が断面視一定方向に傾斜して停止するように回転が規制されている。その結果、香り発生装置２０が設置された状態で蓋体２２の上方を空気流が流通した場合には、通気路２７を介して容器本体２１の内部から揮散した香り成分が空気流の流通方向に拡散する。
【００２２】
揮散性薬剤Ｓは、揮散性物質を保持し、容器本体２１内に充填されて保持されたゲル成形体である。ゲル成形体に保持される揮散性物質は、ゲル成形体から揮散により蓋体２２の通気路２７を介して外部に放出される物質であり、揮散性の芳香剤、消香剤などが挙げられる。
【００２３】
ゲル成形体は、揮散性物質を溶解して保持するゲルから形成され、ゲル成分としては、ゼラチン、オイルゲル、吸水ポリマー、多官能の酸とポリオールの重縮合ゲル等の公知のゲルが用いられるが、開口部２１ａ側が上下いずれの方向でも使用できるように、形状保持性を有するように形成される。
【００２４】
（１．２）画像形成装置
図８（ｂ）、（ｃ）に示すように、画像形成装置１００の背面側の筐体内には排気ファンＦが設けられた通気ダクト１１０が配置されて、画像形成装置１００内の熱せられた空気を画像形成装置１００の外部へ排出する。通気ダクト１１０の空気吸引側となる吸気口１１０Ａは、定着装置（不図示）の側方の上方に位置し、通気ダクト１１０の排気側となる排気口１１０Ｂは、外装カバー１２０側に位置している。
【００２５】
外装カバー１２０には、画像形成装置１００外部と接続するように開口されたルーバ部１２１が形成され、通気ダクト１１０の排気口１１０Ｂと接続している。
図８（ａ）に示すように、外装カバー１２０のルーバ部の外側には凹部１２２が形成され、凹部１２２の底面１２２ａに、振動伝達装置１０と香り発生装置２０が設置されている。
【００２６】
画像形成装置１００は、動作状態において排気ファンＦが回転すると、画像形成装置１００内部の空気が通気ダクト１１０の吸気口１１０Ａから吸入され、排気口１１０Ｂから外装カバー１２０のルーバ部１２１を介して装置外部へ排気する。
ルーバ部１２１から排気される空気流は、香り発生装置２０の上方を流通し、香り発生装置２０の内部から揮散した香り成分が空気流の流通方向に拡散する。その結果、画像形成装置１００の利用者を含む周辺環境へ安定した濃度で香りを提供することができる。
【００２７】
（２）振動伝達装置
図１は基体１０１に振動伝達装置１０を介して香り発生装置２０が設置された縦断面図、図２（ａ）は振動伝達装置１０の１つの構成を示す縦断面図、（ｂ）は分解縦断面図、（ｃ）は係合部の一例を示す斜視図、図３は振動伝達装置１０の振動伝達を説明する断面模式図、図４（ａ）は画像形成装置１００の凹部１２２に振動伝達装置１０と香り発生装置２０が設置された状態の平面模式図、（ｂ）は縦断面模式図である。
以下、図面を参照しながら、振動伝達装置１０の構成ついて説明する。
【００２８】
（２．１）振動伝達装置の構成
振動伝達装置１０は、振動ユニット１５と、基体１０１に固定され振動ユニット１５の一面を保持する第１の保持部材１１と、香り発生装置２０を支持し振動ユニット１５の他面を保持する第２の保持部材１２とを備えて構成されている。
【００２９】
図２（ａ）、（ｂ）に示すように、振動ユニット１５は、振動伝達部材１６と、振動伝達部材１６を保持する第１保持部１７と、第１保持部１７に相対して振動伝達部材１６を保持する第２保持部１８とから構成されている。
【００３０】
振動伝達部材１６は、全体が鋼製又は合成樹脂で形成された球体で、香り発生装置２０に装置本体１０１の振動を伝達する。
【００３１】
第１保持部１７は、一端に開口した凹部Ｒ１に振動伝達部材１６を移動可能に収容する。
第２保持部１８は、第１保持部１７に相対して一端に開口した凹部Ｒ２に振動伝達部材１６を移動可能に収容する。
【００３２】
図３に示すように、第１保持部１７の凹部Ｒ１の開口部に対して第２保持部１８の凹部Ｒ２の開口部は広く形成されているために、振動伝達部材１６の移動に対して第２保持部１８は大きく移動可能（図３においてＬ１＜Ｌ２）であり、基体１０１から伝達される振動は、振動ユニット１５の振動伝達部材１６を介して第２保持部１８の大きな移動として伝達される。
【００３３】
振動ユニット１５の第１保持部１７には係合凹部１７ａが形成され、振動ユニット１５を保持する第１の保持部材１１の上面には第１保持部１７の係合凹部１７ａと嵌り合う係合凸部１１ａが形成されている。
【００３４】
振動ユニット１５の第２保持部１８には係合凹部１８ａが形成され、振動ユニット１５を保持する第２の保持部材１２の下面には第２保持部１８の係合凹部１８ａと嵌り合う係合凸部１２ａが形成されている。
【００３５】
振動ユニット１５は第１保持部１７に形成された係合凹部１７ａが第１の保持部材１１の係合凸部１１ａと嵌り合い、第２保持部１８に形成された係合凹部１８ａが第２の保持部材１２の係合凸部１２ａと嵌り合って交換可能に保持される。
尚、図２（ｃ）に示すように、係合凹部１７ａ及び係合凹部１８ａは溝形状で形成され、嵌り合う係合凸部１１ａ及び係合凸部１２ａはレール形状で形成されてもよく、振動ユニット１５をスライドして交換することもできる。
【００３６】
第１の保持部材１１の底面には固定手段の一例としての両面テープＡＤが貼付され、第２の保持部材１２の上面には固定手段の一例としての両面テープＡＤが貼付されている。尚、固定手段としては、両面テープＡＤに限らず、公知の吸盤（不図示）や面ファスナー（不図示）、ねじ（不図示）であってもよい。
【００３７】
（２．２）基体への設置
このように構成される振動伝達装置１０は、図４（ａ）、（ｂ）に示すように、振動ユニット１５の一面を保持した第１の保持部材１１が両面テープＡＤを介して基体１０１としての画像形成装置１００の凹部１２２の底面１２２ａに固定され、振動ユニット１５の一面を保持した第２の保持部材１２が両面テープＡＤを介して香り発生装置２０を支持する。
【００３８】
振動伝達装置１０を介して画像形成装置１００に設置された香り発生装置２０は、振動伝達装置１０の振動ユニット１５を介して画像形成装置１００からの振動が伝達されて、ゲル体の揮散性物質の揮発が促進される。
【００３９】
「第２実施形態」
図５は振動伝達装置１０Ａの断面模式図である。
以下、本実施形態の振動伝達装置１０Ａの構成について図５を用いて説明するが、第１実施形態に係る香り振動伝達装置１０と共通の構成要素には、同一の符号を付し、その詳細な説明は省略する。
【００４０】
振動伝達装置１０Ａは、振動ユニット１５Ａと、基体１０１に固定され振動ユニット１５Ａの一面を保持する第１の保持部材１１と、香り発生装置２０を支持し振動ユニット１５Ａの他面を保持する第２の保持部材１２とを備えて構成されている。
【００４１】
振動ユニット１５Ａは、振動伝達部材としてのシャフト１６Ａと、シャフト１６Ａの外径よりも大径でシャフト１６Ａが挿通される貫通孔１７Ａａを有する第１保持部１７Ａと、貫通孔１７Ａａに挿通されたシャフト１６Ａを保持する第２保持部１８Ａからなる。
シャフト１６Ａは、両端部が第２保持部１８Ａで支持され、第１保持部１７Ａはシャフト１６Ａに対して移動可能に支持される。
【００４２】
図５に示すように、シャフト１６Ａは、全体が軸方向に一様な外径Ｄ０を有する円筒体として形成されている。第１保持部１７Ａには貫通孔１７Ａａが形成され、貫通孔１７Ａａの内径Ｄ１は、シャフト１６Ａの外径Ｄ０よりも大径（図５においてＤ１＞Ｄ０）に形成されている。
【００４３】
第１保持部１７Ａは、シャフト外径Ｄ０よりも大径の貫通孔１７Ａａにシャフト１６Ａが挿通されて支持されているために、シャフト外径Ｄ０と貫通孔内径Ｄ１との径差に応じて移動可能である。
【００４４】
振動ユニット１５Ａは第１保持部１７Ａに形成された係合凹部が第１の保持部材１１の係合凸部１１ａと嵌り合い、第２保持部１８Ａに形成された係合凹部が第２の保持部材１２の係合凸部１２ａと嵌り合って交換可能に保持される。
【００４５】
「第３実施形態」
図６は振動伝達装置１０Ｂの構成を示す縦断面図である。
以下、本実施形態の振動伝達装置１０Ｂの構成について図６を用いて説明するが、第１実施形態に係る振動伝達装置１０と共通の構成要素には、同一の符号を付し、その詳細な説明は省略する。
【００４６】
振動伝達装置１０Ｂは、振動ユニット１５Ｂと、基体１０１に固定され振動ユニット１５Ｂの一面を保持する第１の保持部材１１と、香り発生装置２０を支持し振動ユニット１５Ｂの他面を保持する第２の保持部材１２とを備えて構成されている。
【００４７】
振動ユニット１５Ｂは、振動伝達部材１６Ｂが、バネ体１６Ｂａと、粘性減衰要素１６Ｂｂから構成されている。
バネ体１６Ｂａは、バネ定数Ｋを有し、支持する香り発生装置２０の質量に応じて個別に決定される。また、振動伝達部材１６Ｂは、粘性減衰要素１６Ｂｂをバネ体１６Ｂａと並列に備え、減衰比が選択されて、基体１０１としての画像形成装置１００の振動が増幅されて伝達される。
【００４８】
本実施形態に係る振動伝達装置１０Ｂによれば、香り発生装置２０の質量に応じて、バネ体１６Ｂａのバネ定数Ｋと粘性減衰要素１６Ｂｂの減衰比を選択することで、画像形成装置１００の僅かな振動であっても、香り発生装置２０に適切な振幅の振動を伝達して、ゲル体の揮散性物質の揮発を促進させることができる。
【符号の説明】
【００４９】
１０、１０Ａ、１０Ｂ・・・振動伝達装置
１１、１１Ａ・・・第１の保持部材
１２、１２Ａ・・・第２の保持部材
１５、１５Ａ、１５Ｂ・・・振動ユニット
１６、１６Ａ、１６Ｂ・・・振動伝達部材
１７、１７Ａ・・・第１保持部
１８、１８Ａ・・・第２保持部
２０・・・香り発生装置
１００・・・画像形成装置
１０１・・・基体
１１０・・・通気ダクト
１２０・・・外装カバー
１２１・・・ルーバ部
１２２・・・凹部
Ｆ・・・排気ファン
【図１】
0006520231.tif 000002
【図２】
0006520231.tif 000003
【図３】
0006520231.tif 000004
【図４】
0006520231.tif 000005
【図５】
0006520231.tif 000006
【図６】
0006520231.tif 000007
【図７】
0006520231.tif 000008
【図８】
0006520231.tif 000009